(57)【特許請求の範囲】
【請求項１】
放送データを受信する受信手段と、
前記受信した放送データを視聴する視聴手段と、
複数の端末装置との間での無線通信を接続する通信接続手段と、
前記受信手段による放送データを出力する出力手段と、
視聴予約番組と、当該視聴予約番組に対して視聴装置として設定された１の端末装置を、視聴予約情報として記憶する視聴予約情報記憶手段と、
前記記憶された視聴予約番組の開始に応じて、前記受信手段による受信を当該視聴予約番組の放送データに変更する予約手段と、を備え、
前記出力手段は、前記視聴予約番組の放送データについては、当該視聴予約番組の前記視聴装置を出力先として出力し、前記視聴予約番組以外の放送データについては、前記受信手段による放送データの受信を最後に選択した端末装置を出力先として出力する、
ことを特徴とする放送受信装置。
【請求項２】
前記予約手段は、前記記憶された視聴予約番組の開始の際に、前記通信接続手段により前記視聴装置との無線通信が接続されている場合に、前記受信手段による受信を当該視聴予約番組の放送データに変更する、
ことを特徴とする請求項１に記載の放送受信装置。
【請求項３】
前記受信手段で受信した放送データを録画データとして保存する録画手段を備え、
前記出力手段は、前記端末装置からの要求に基づいて、前記保存された録画データを当該端末装置に出力する、
ことを特徴とする請求項１又は請求項２に記載の放送受信装置。
【請求項４】
前記視聴予約番組が開始する所定時間前において、前記出力手段により出力されている前記端末装置、及び前記視聴装置に、当該視聴予約番組の開始を通知する通知手段を備える、
ことを特徴とする請求項１、請求項２又は請求項３に記載の放送受信装置。
【請求項５】
前記視聴予約番組の開始から所定時間前の視聴予約確認時間に到達した場合、当該視聴装置に視聴予約番組を視聴するか否かを問い合わせる視聴確認手段を備え、
前記視聴確認手段による問合せに対して前記端末装置から視聴する旨の回答を受信した場合に、前記予約手段は、前記受信手段による受信を当該視聴予約番組の放送データに変更し、前記出力手段は、当該視聴予約番組の放送データの出力先として前記視聴装置を選択する、
ことを特徴とする、請求項１から請求項４のうちのいずれか１の請求項に記載の放送受信装置。
【請求項６】
前記視聴確認手段による問合せに対して前記視聴装置から視聴しない旨の回答を受信した場合に、当該視聴予約情報を前記視聴予約情報記憶手段から削除する削除手段を備える、
ことを特徴とする請求項５に記載の放送受信装置。
【請求項７】
前記視聴予約番組が開始する前に、前記出力手段により選択されている前記端末装置、及び前記視聴装置に送信していた状態を視聴予約開始前状態として記憶する視聴予約開始前状態記憶手段、を備え、
前記予約手段と前記出力手段は、前記視聴装置に送信した視聴予約番組の放送データが終了した場合に、前記視聴予約開始前状態記憶手段に記憶した視聴予約開始前状態に戻す、
ことを特徴とする請求項１から請求項６のうちのいずれか１の請求項に記載の放送受信装置。
【発明の詳細な説明】
【技術分野】
【０００１】
本発明は、放送受信装置に係り、視聴忘れを防止するための視聴予約機能を備えた放送受信装置に関する。
【背景技術】
【０００２】
テレビ放送やラジオ放送の電波を受信し、受信した画像や音声を出力するテレビ受像器やラジオ受信機などの放送受信装置が広く普及している。
放送受信装置に対し、視聴したい番組の視聴し忘れを防止するために、予めチャンネル（以下、ＣＨという）や時間等を指定することで視聴予約する技術が提案されている（特許文献１）。この技術によれば放送受信装置は、指定した時間に到達した際、視聴予約されたＣＨに自動で切り替えるようにしている。これによって、ユーザは他の番組を見ていた場合であっても、そのことが原因で見たい番組を見逃すということが防止される。
【０００３】
放送受信装置には、受信した放送データを他のスマートフォン（以下スマホという）等の端末装置に送信（転送）する機能を備えたものも存在している。これにより、チューナを備えていない端末装置であっても、放送受信装置から送信される放送データを受信し、視聴することが可能になる。
【０００４】
図１４は、放送データの送信中に視聴予約時間になった場合の、放送受信装置と端末装置での表示画面の変化を表したものである。
いま、放送受信装置（以下、ＴＶ装置という）では、予め０２ＣＨの番組が予約されていると共に、その予約時間前において端末装置であるスマホから放送受信装置に対して０２ＣＨの視聴要求がされているものとする。
この場合、ＴＶ装置は、スマホからの要求に基づいて自装置のチューナで受信した０１ＣＨをスマホに送信する。これによりスマホでは送信される０１ＣＨのリアルタイム視聴が行われる。
一方、０１ＣＨの受信データを端末装置に送信しているので、ＴＶ装置では、デジタル写真等のスライドショーや録画済みの放送データ等、チューナで受信中の放送データ以外を出力するか、又は画面を消灯することになる。
そして、視聴予約の時間になると（ステップ８１Ｔ；Ｙ）、ＴＶ装置はスマホへのＣＨデータの送信を終了すると共に、受信ＣＨを０１ＣＨから予約済みの０２ＣＨに変更し、その出力対象をスマホからＴＶ装置に切り替える（ステップ８２Ｔ）。
一方、スマホ側ではＴＶ装置からＣＨデータを受信しているかを監視し（ステップ８１Ｓ）、ＴＶ装置からのデータ送信が終了すると（ステップ８１Ｓ；Ｎ）、「表示がＴＶ側に切り替わりました。」等の視聴停止画面を表示する（ステップ８２Ｓ）。これによりスマホ側では、ＴＶ装置側での表示に切り替わったことがスマホユーザに報知される。
【０００５】
このように、視聴予約を設定したＴＶ装置が放送データを送信し、これをスマホで視聴していた場合、指定した時間に到達すると視聴予約を設定したＴＶ装置で放送データを表示（テレビ視聴を開始）してしまう。これは、放送データをリアルタイムに視聴する場合、１チューナに対して１端末での視聴に制限されているためである。
このため、スマホで放送データを視聴していたユーザは途中で視聴を中止されてしまい、かつ、視聴予約をした番組を見逃してしまうという問題がある。
ユーザが視聴予約した番組を視聴するためには、切り替えられたＴＶ装置まで移動してＴＶ装置で視聴するか、又は、スマホからＴＶ装置に対して再度出力対象を切り替える操作をスマホで行う必要があった。
【０００６】
さらに、複数のスマホａ、ｂ、…をＣＨデータの出力対象として設定できるようにし、リアルタイムのＣＨデータを１台のスマホに送信する放送受信システムとして構成した場合、ＣＨデータを視聴中のスマホａのユーザは、途中でＣＨデータの受信が終了することで、視聴予約した番組の開始を知ることが可能である。
ところが、録画データを視聴中のスマホｂのユーザは、視聴予約された番組が開始しても、録画データが継続してＴＶ装置から送信されるため、視聴予約した番組の開始を知ることもできず、視聴予約番組を見逃してしまう可能性が高くなる。
【先行技術文献】
【特許文献】
【０００７】
【特許文献１】特開２００６−３３５４８号公報
【発明の概要】
【発明が解決しようとする課題】
【０００８】
本発明は、視聴予約した番組を、視聴したい端末装置で見逃すことなく、また、複雑な操作なしで視聴予約番組の視聴を継続することを目的とする。
【課題を解決するための手段】
【０００９】
（１）請求項１に記載の発明では、放送データを受信する受信手段と、前記受信した放送データを視聴する視聴手段と、複数の端末装置との間での無線通信を接続する通信接続手段と、前記受信手段による放送データを出力する出力手段と、視聴予約番組と、当該視聴予約番組に対して視聴装置として設定された１の端末装置を、視聴予約情報として記憶する視聴予約情報記憶手段と、前記記憶された視聴予約番組の開始に応じて、前記受信手段による受信を当該視聴予約番組の放送データに変更する予約手段と、を備え、前記出力手段は、前記視聴予約番組の放送データについては、当該視聴予約番組の前記視聴装置を出力先として出力し、前記視聴予約番組以外の放送データについては、前記受信手段による放送データの受信を最後に選択した端末装置を出力先として出力する、ことを特徴とする放送受信装置を提供する。
（２）請求項２に記載の発明では、前記予約手段は、前記記憶された視聴予約番組の開始の際に、前記通信接続手段により前記視聴装置との無線通信が接続されている場合に、前記受信手段による受信を当該視聴予約番組の放送データに変更する、ことを特徴とする請求項１に記載の放送受信装置を提供する。
（３）請求項３に記載の発明では、前記受信手段で受信した放送データを録画データとして保存する録画手段を備え、前記出力手段は、前記端末装置からの要求に基づいて、前記保存された録画データを当該端末装置に出力する、ことを特徴とする請求項１又は請求項２に記載の放送受信装置を提供する。
（４）請求項４に記載の発明では、前記視聴予約番組が開始する所定時間前において、前記出力手段により出力されている前記端末装置、及び前記視聴装置に、当該視聴予約番組の開始を通知する通知手段を備える、ことを特徴とする請求項１、請求項２又は請求項３に記載の放送受信装置を提供する。
（５）請求項５に記載の発明では、前記視聴予約番組の開始から所定時間前の視聴予約確認時間に到達した場合、当該視聴装置に視聴予約番組を視聴するか否かを問い合わせる視聴確認手段を備え、前記視聴確認手段による問合せに対して前記端末装置から視聴する旨の回答を受信した場合に、前記予約手段は、前記受信手段による受信を当該視聴予約番組の放送データに変更し、前記出力手段は、当該視聴予約番組の放送データの出力先として前記視聴装置を選択する、ことを特徴とする、請求項１から請求項４のうちのいずれか１の請求項に記載の放送受信装置を提供する。
（６）請求項６に記載の発明では、前記視聴確認手段による問合せに対して前記視聴装置から視聴しない旨の回答を受信した場合に、当該視聴予約情報を前記視聴予約情報記憶手段から削除する削除手段を備える、ことを特徴とする請求項５に記載の放送受信装置を提供する。
（７）請求項７に記載の発明では、前記視聴予約番組が開始する前に、前記出力手段により選択されている前記端末装置、及び前記視聴装置に送信していた状態を視聴予約開始前状態として記憶する視聴予約開始前状態記憶手段、を備え、前記予約手段と前記出力手段は、前記視聴装置に送信した視聴予約番組の放送データが終了した場合に、前記視聴予約開始前状態記憶手段に記憶した視聴予約開始前状態に戻す、ことを特徴とする請求項１から請求項６のうちのいずれか１の請求項に記載の放送受信装置を提供する。
【発明の効果】
【００１０】
本発明によれば、視聴予約番組が開始する場合、当該視聴予約番組に対して設定された視聴装置を出力先として当該視聴予約番組の放送データを出力するので、視聴予約番組を視聴したい端末装置で見逃すことなく、また、複雑な操作なしで視聴予約番組の視聴を継続することができる。
【図面の簡単な説明】
【００１１】
【図１】本実施形態が適用される放送受信装置の外観構成と、放送データ受信システムの構成についての説明図である。
【図２】ＴＶ装置の構成図である。
【図３】視聴予約開始前における、放送データをＴＶ装置とスマホの何れか一方で表示するストリーミング処理の動作の一部を表したフローチャートである。
【図４】視聴予約開始前における、放送データをＴＶ装置とスマホの何れか一方で表示するストリーミング処理の動作の残りを表したフローチャートである。
【図５】ストリーミング処理における、ＴＶ装置の画面状態を表した説明図である。
【図６】ストリーミング処理における、スマホの画面状態を表した説明図である。
【図７】予約操作における各種操作に応じた画面遷移を表したものである。
【図８】ＴＶ装置のストリーミングプログラムによる視聴予約出力処理について表したフローチャートである。
【図９】視聴予約出力処理におけるＬＣＤとスマホの表示画面を表した説明図である。
【図１０】スマホのストリーミングアプリによる視聴予約出力処理について表したフローチャートである。
【図１１】第２実施形態におけるＴＶ装置の視聴予約出力処理について表したフローチャートである。
【図１２】第２実施形態におけるスマホの視聴予約出力処理について表したフローチャートである。
【図１３】録画予約出力処理について表したフローチャートである。
【図１４】従来の放送受信装置と端末装置での表示画面の変化を表した説明図である。
【発明を実施するための形態】
【００１２】
以下、本発明の放送受信装置における好適な実施形態について、図１から図１３を参照して詳細に説明する。
（１）実施形態の概要
図１（ｂ）に示す様に、本実施形態の放送受信装置１は、複数の端末装置２ａ、２ｂ、２ｃ、…（以下、個別の端末装置を指す場合にはａ、ｂ…の添え字を付し、何れか１の端末装置を指す場合には添え字無しで符号を付ける）、とＷｉ−Ｆｉ通信等の各種無線通信手段により接続可能である。放送受信装置１は、端末装置２からの要求に応じて、要求されたチャンネルの放送データを受信して当該端末装置２に送信する。但し、放送受信装置１で受信する放送データをリアルタイムで視聴することができるのは、放送受信装置１及び全端末装置２のうちの、１チューナ当たり１台だけである。
本実施形態の放送受信装置１では、放送データの受信を選択（指定）をした装置（放送受信装置１又は何れかの端末装置２）に対して視聴権を認め、放送データの出力対象を当該装置に切り替えて出力する。
【００１３】
例えば、放送受信装置１で放送データを表示している状態で、特定の端末装置２ａから別ＣＨ（チャンネル）の視聴要求があると、放送受信装置１は、受信中のＣＨの変更と、端末装置２ａへの出力対象（出力先）の切り替えを行い、放送データを端末装置２ａに送信する。この出力対象の切り替えに伴い、放送受信装置１の画面は、スライドショーや消灯状態となる。
その後、他の端末装置２ｂから視聴要求があれば、放送受信装置１は、出力対象を端末装置２ａから新しく視聴要求があった当該端末装置２ｂに切り替え、要求されたＣＨの放送データを端末装置２ｂに送信する。この際、放送受信装置１は、出力対象の切り替えにより、放送データ端末装置２ａへの送信が終了するが、出力対象の切り替えの際に、端末装置２ａに対して切り替え通知（放送データの送信終了を意味する）を通知する。
【００１４】
更に、放送データを端末装置２に送信中において、放送データに関する入力操作（放送データ受信の選択）が放送受信装置１で行われると、放送受信装置１は、現在の出力対象（出力先）である端末装置２に切り替え通知をし、出力対象を端末装置２から自装置（ＬＣＤ６１）への出力に切り替える。
切り替え通知を受信した端末装置２では、放送受信装置１からの放送データが送信されなくなるため、放送データの受信ができなくなると、視聴可能な録画リストを画面表示する。この録画リストは、放送受信装置１が録画した放送データのリストであり、各端末装置２が録画リストを所定タイミング毎に放送受信装置１から受信し、保存しておいたものである。但し、切り替え通知と共に最新の録画リストを放送受信装置１から受信する様にしてもよい。
【００１５】
本実施形態では、視聴予約を行う際に、当該視聴予約番組の放送データの出力対象として、放送受信装置１又は端末装置２を視聴装置として選択し、選択した視聴装置の識別番号を予約情報に含めて登録しておく。本明細書では、この予約情報に含まれる識別番号に対応する端末装置２を視聴装置という。
なお、この視聴予約を行うのは放送受信装置１である。従って、放送データの受信を選択（指定）した装置が放送受信装置１なので、原則的には、視聴予約番組の放送データの視聴権は放送受信装置１（出力対象が放送受信装置１）となる。
しかし、本実施形態の視聴予約処理において、視聴予約時間に到達した場合、放送受信装置１は、出力対象を原則通り放送受信装置１に切り替えるのではなく、出力対象を選択された視聴装置（放送受信装置１又は端末装置２）に切り替える。
これにより、ユーザは視聴予約したＣＨを見逃すことなく、また、面倒な操作をすることなく、視聴予約の際に選択した装置での視聴が可能になる。
なお、視聴予約処理において、放送受信装置１は、切り替え通知と同様に、端末装置２に対して視聴の終了や視聴予約番組の開始を報知するために、視聴予約時間から所定時間（ｎ分）前の視聴予約確認時間に到達したら視聴予約通知を行う。この視聴予約通知の対象は、現在放送データを受信中である端末装置２と、当該視聴予約の設定において選択された視聴装置（端末装置２）である。
【００１６】
本実施形態の機能によれば、放送受信装置１と無線通信可能な複数の端末装置２の内の何れか１台の装置において放送データを視聴することができる。視聴予約の際に放送受信装置１を含め視聴装置を設定することで、当該視聴装置において、視聴予約した番組以外の番組や録画データを見ていたことが原因で、視聴予約をした見たい番組を見逃すことを防ぐことがでる。
また、視聴予約を設定した番組が開始するタイミングで視聴予約をした放送受信装置１でテレビ放送を視聴しているか、もしくは、別の端末装置２でテレビ放送を視聴しているかに関係なく、視聴予約時に設定した視聴装置である端末装置２において視聴予約番組を確実に視聴することができる。
【００１７】
（２）実施形態の詳細
図１は本実施形態が適用される放送受信装置の外観構成と、放送受信装置を利用した放送データ受信システムの構成について表したものである。
図１（ａ）に示すように、本実施形態の放送受信装置１はタブレット型の受信装置である。放送受信装置１は、テレビ放送やラジオ放送等の各種放送を受信するアンテナ４１を備え、受信したテレビ放送などの画像を表示する表示画面（ＬＣＤ）６１と、視聴予約等の各種操作を行う本体キー７１が配設されている。
なお、以下の実施形態では、テレビ放送を受信する場合を例に説明し、放送受信装置１としてＴＶ装置１と表記することとする。
【００１８】
図１（ｂ）に示すように、放送データ受信システムは、テレビ塔や衛星から送信される放送データなどを受信する本実施形態のＴＶ装置１と、複数の端末装置２ａ、２ｂ、２ｃ、…により構成されている。端末装置２としては、ＴＶ装置１との間で通信可能なスマートフォンや携帯電話、タブレット端末などの各種携帯端末装置が使用される。
本実施形態では端末装置２として、スマートフォンを使用する場合について説明する。以下端末装置２をスマホ２として説明する。
【００１９】
ＴＶ装置１と各スマホ２とは、各種規格の通信により接続可能に構成されている。通信方式としては、Ｗｉ−Ｆｉ（Ｗｉｒｅｌｅｓｓ  Ｆｉｄｅｌｉｔｙ（登録商標））通信や、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）規格に準拠した３Ｇや、ＩＭＴ−Ａｄｖａｎｃｅｄ  規格に準拠した４Ｇにより接続される。
これにより、各スマホ２からは、メールや自装置で撮影した写真データ等がＴＶ装置１に送信されたり、視聴したい放送データや録画データがＴＶ装置１に要求されたりする。
一方、ＴＶ装置１からは、スマホ２の要求に基づく放送データや録画データがスマホ２に送信される。
本実施形態では、ＴＶ装置１とスマホ２間で放送データや録画データを送受信する場合には、Ｗｉ−Ｆｉ通信による場合を例に説明するが、基地局を経由した３Ｇや４Ｇによることも可能である。
【００２０】
図２はＴＶ装置１の構成を表したものである。
図２に示されるように、ＴＶ装置１は、本実施形態における視聴予約制御や、受信中の放送データを何れか１のスマホ２に送信（転送）するストリーミング制御のほか、入力操作に対応する制御等の装置全体を各種制御する制御部１０を備えている。
制御部１０は、本実施形態における放送データの受信、転送、及び、録画に関する各種制御、保存されている静止画データを使用してスライドシーを行う制御、外部装置との通信制御、その他の各種制御をプログラムに従って行うＣＰＵと、基本プログラムが保存されるＲＯＭ、各種制御を行う場合の作業領域としてのＲＡＭ等を備えている。
この制御部１０には、時計２０、記憶部３０、チューナ部４０、通信制御部５０、出力部６０、入力部７０が接続されている。
【００２１】
時計２０は、時刻情報として現在の日時を年月日時分秒の単位で計測し、計測した時刻情報を制御部１０に供給する。時刻情報については、所定タイミング毎に供給するようにしてもよく、制御部１０からの要求に応じて供給するようにしてもよい。
【００２２】
記憶部３０は、ハードディスクや不揮発性メモリ等の各種記憶媒体で構成されている。この記憶部３０には、プログラム３１、予約リスト３２、録画データ３３、登録視聴端末情報３４、その他のデータが保存される。
プログラム３１には、予約プログラム、ストリーミングプログラム、その他の各種プログラムが記憶される。
予約プログラムは、視聴や録画を希望する時刻やＣＨ（チャンネル）を指定することで視聴予約や録画予約を行うプログラムである。
ストリーミングプログラムは、スマホ２からの要求により指定されたＣＨの放送データを受信してスマホ２に転送するプログラムである。なお、視聴予約プログラムにより視聴予約された番組の出力対象（出力先）の決定、切り替え等については、ストリーミングプログラムにより処理される。
【００２３】
その他のプログラムとしては、例えば、ＴＶ装置１や他の通信機器から送信される静止画等の受信及び保存を行うとともに、入力操作にしたがい保存した画像をスライドショーとして順次表示するスライドショープログラム等がある。
なお、記憶部３０に保存される各種プログラムについては、通信により適宜バージョンアップ可能に構成されているが、その全体又は一部（機能部分）をＲＯＭに保存するようにしてもよい。
【００２４】
予約リスト３２は、視聴予約や録画予約の操作がされる毎に保存される予約情報のリストである。
この予約情報としては、視聴予約又は録画予約された番組（放送データ）の放送ＣＨ（ＣＨ）、放送開始時間Ｔ１、放送終了時間Ｔ２、番組名等の番組情報、視聴予約と録画予約を区別する区別情報（録画予約フラグ、視聴予約フラグ）、識別番号（視聴予約の場合）が保存される。
ここで、放送開始時間Ｔ１が視聴予約時間や録画予約時間となるが、放送開始時間Ｔ１よりも所定時間Ｔ１ａ（例えば、１分）だけ前の時間を視聴予約時間、録画予約時間としてもよい。また、放送終了時間Ｔ２が視聴終了時間や録画終了時間となるが、放送終了時間Ｔ２よりも所定時間Ｔ２ａだけ後の時間を視聴終了時間、録画終了時間としてもよい。この場合、所定時間Ｔ１ａ、Ｔ２ａについては、開始、終了に要する時間を考慮し、視聴予約と録画予約とで異なる時間を規定するようにしてもよい。
【００２５】
なお、予約リスト３２には、視聴予約情報のリストと、録画予約情報のリストを別々に保存するようにしてもよく、この場合には区別情報の保存は不要である。
【００２６】
視聴予約、録画予約は、ＴＶ装置１が放送データに含まれる電子番組表（ＥＰＧ：Ｅｌｅｃｔｒｏｎｉｃ  Ｐｒｏｇｒａｍ  Ｇｕｉｄｅ）を画面表示し、ユーザが希望する番組の選択操作を行うことで予約が行われる。ＴＶ装置１は、選択された番組の電子番組情報から、予約情報を予約リスト３２に保存する。
【００２７】
録画データ３３は、録画予約された番組を含め、受信した放送データが保存される。各録画データ３３には、放送データの他に、録画情報が保存される。録画情報は録画済みの放送データを選択して視聴する際に、録画一覧としてリスト表示される（図６（ハ）参照）。録画情報としては、予約情報と同一内容が保存される。
【００２８】
登録視聴端末情報３４は、視聴予約処理において登録および使用される、視聴予約した放送データの出力対象として選択可能なスマホ２に関する情報である。この登録視聴端末情報３４には、登録したスマホ２の識別番号と、これに対応するボタン番号、端末名称が保存される。
ボタン番号と端末名称は、視聴予約処理において表示される視聴予約者表示画面（図７（ｅ）参照）を表示するために使用され、この画面でユーザに選択された端末名称に対応する識別番号が、視聴予約した放送データの出力対象として、予約リスト３２の予約情報に保存される。
【００２９】
記憶部３０に保存されるその他のデータとしては、スライドショーで使用される画像データとしての静止画像や動画像の画像データ等がある。
この画像データは、スマホ２や携帯電話等の外部装置から受信する場合のほか、ＴＶ装置１が備える撮像装置（カメラ）で撮像する場合が含まれる。この画像データは、ＴＶ装置１に表示される場合のほか、ＴＶ装置１が放送データと同様にスマホ２に送信（転送）することで、スマホ２に表示することも可能である。
画像データが静止画像である場合には、スライドショーとして画像データが順次表示、送信される。
【００３０】
チューナ部４０は、各種放送データを受信するアンテナ（本実施形態ではテレビアンテナ４１）が接続されている。チューナ部４０は、テレビアンテナ４１を介して受信した放送データのうち、ユーザが選局したＣＨの放送データを視聴可能にする。制御部１０は、視聴可能になった放送データを出力部６０に出力し、また、スマホ２に転送し、録画データ３３に保存する。
【００３１】
通信制御部５０は、各種外部機器との間で所定の規格に応じた通信を行うための制御部であり、本実施形態では３Ｇ又は／及び４Ｇ通信用の３Ｇ／４Ｇアンテナ５１と、Ｗｉ−Ｆｉ通信用のＷｉ−Ｆｉアンテナ５２が接続されている。
本実施形態の通信制御部５０では、制御部１０による制御のもと、チューナ部４０で受信した放送データをＷｉ−Ｆｉアンテナ５２を介して、いずれか１台のスマホ２に送信（転送）することで、放送データ送信手段の一部として機能している。
【００３２】
出力部６０は、ＬＣＤ６１とスピーカ６２を備えている。
ＬＣＤ６１は、受信した放送データ、録画データ、スライドショー等の画像を表示する液晶表示装置である。ＬＣＤ６１は、ＴＶ装置１の各種機能に応じて必要な各種操作を行うための操作キーを画像表示する。
【００３３】
スピーカ６２は、受信した放送データや録画データなどの音声を出力する音声出力装置である。
この本実施形態のスピーカ６２からは、録画予約や視聴予約を行う際にＬＣＤ６１に表示される操作画面に対応した、設定操作の音声ガイダンスが出力されるが、音声ガイダンス機能は搭載しないことも可能である。
【００３４】
放送データや録画データの実際の出力対象は、画像がＬＣＤ６１で、音声がスピーカ６２である。但し、説明を簡略するために、以下の説明では、放送データ等の出力対象をＬＣＤ６１として説明することとする。
【００３５】
入力部７０は、各種設定操作を行うための入力装置として、本体キー７１、リモコン７２、タッチパネル７３、マイクを備えている。
本体キー７１は、図１（ａ）に示すように、各種入力、選択操作を行うための操作キーとして、ＴＶ選択キー、メニューキー、戻るキー、ＯＫキー、上下左右方向の各移動キーが、ＬＣＤ６１側の本体面に配置されている。
また、図示しないが、本体キー７１として、電源のオンオフを行う電源キーが本体側面に配設されている。
【００３６】
リモコン７２は、近距離無線通信によりＴＶ装置１の入力操作を行う入力機器である。
タッチパネル７３は、ＬＣＤ６１の表面に配置される入力機器で、ＬＣＤ６１に画面表示された各種操作キーに対応した、ユーザのタッチ位置を特定し、当該タッチ位置に対応して表示された操作キーの入力を受け付ける。
【００３７】
なお、ＴＶ装置１が備える撮像装置（カメラ）で動画を撮像する場合用に、入力部７０は、音声を入力するためのマイク（図示しない）を備えている。
この本実施形態のＴＶ装置１には存在しない機能ではあるが、３Ｇ／４Ｇ通信を使用し、携帯電話やスマートフォンなどの外部機器との間で通話を行う通話機能を搭載するようにしてもよい。この場合には、マイクが通話用のマイクとしても使用される。
【００３８】
次に、放送データ受信システムを構成するスマホ２について説明する。
スマホ２は、その構成としてＣＰＵ、ＲＯＭ、ＲＡＭを備えた制御部、ＴＶ装置１との間で通信や通話機能を実現するための通信部、各種画像を表示する画像表示部、記憶部、各種操作を行う入力部を備えている。
スマホ２の記憶部には、各種のアプリケーションソフトが記憶されるほか、電話機能に関連して保存される電話帳情報、通話履歴情報、ＴＶ装置１から受信した録画情報や番組情報などが記憶される。スマホ２の記憶部に記憶されるアプリケーションソフトとしては、ＴＶ装置１と共に放送データ受信システムを構成するためのプログラム（以下、ストリーミングアプリという）が記憶される。このストリーミングアプリは、商品出荷時においてプリインストールされている場合と、インターネット等を経由してインストールされる場合とがある。
【００３９】
スマホ２の通信部は、通話用のアンテナの他、Ｗｉ−Ｆｉアンテナを備えており、ＴＶ装置１とＷｉ−Ｆｉ通信を行うことで、放送データ受信要求に関する情報を送信し、また、送信される放送データを受信するようになっている。
この放送データの受信に関連する各種動作は、ユーザによって選択されたストリーミングアプリに従ってスマホ２の制御部により実行される。
【００４０】
本実施形態では端末装置２の一例としてスマホ２の構成を説明したが、上述したように携帯電話や電子フォトフレーム等の他の端末装置も使用可能である。
この場合の端末装置の構成としては、各端末装置固有の機能部分を除き、ほぼスマホ２と同一である。すなわち、少なくとも端末装置として、ＴＶ装置１との間でＷｉ−Ｆｉ等の無線通信が可能であり、制御部がストリーミングアプリを実行することで、ＴＶ装置１から送信される放送データを受信し、その映像や音声を出力するための構成をスマホ２と同様に備える。
【００４１】
次に、以上の通り構成された、ＴＶ装置１とスマホ２からなる放送データ受信システムの動作について説明する。
図３、図４は、視聴予約開始前における、放送データをＴＶ装置１とスマホ２の何れか一方で表示するストリーミング処理の動作を表したフローチャートである。
図５は、ストリーミング処理における、ＴＶ装置１の画面状態を表した説明図である。
図６は、ストリーミング処理における、スマホ２の画面状態を表した説明図である。
このストリーミング処理の前提として、ＴＶ装置１とスマホ２は相互にＷｉ−Ｆｉ接続が完了しているものとし、両者間の通信はＷｉ−Ｆｉによるものとする。
【００４２】
いまＴＶ装置１は、ＴＶ装置１の操作により指定されたＣＨの放送データ（以下、ＣＨデータという）を受信しているものとする。この状態では、スマホ２からの要求がないため、ＴＶ装置１は、受信したＣＨデータを出力部６０のＬＣＤ６１とスピーカ６２から出力する。これにより、図５（ａ）に示すように、ＴＶ装置１のＬＣＤ６１にＣＨデータが表示され、ユーザは、ＴＶ装置１においてＣＨデータ（サッカー中継）の視聴中となる（ステップ１１Ｔ）。
【００４３】
一方、スマホ２側では制御部が、ストリーミングアプリが起動されたか否かを監視している（ステップ１１Ｓ）。
ストリーミングアプリは、図６（イ）に示すように、スマホ２の画像表示部１６１のトップ画面（ホーム画面／待ち受け画面）に表示されている各種アプリアイコンの中から、ストリーミングアプリアイコン１６２をユーザが選択する事で起動される。
スマホ２の制御部では、ストリーミングアプリが起動されると（ステップ１１Ｓ；Ｙ）、起動完了までの間、図６（ロ）に示すように、起動画面を画像表示部１６１に表示する（ステップ１２Ｓ）。
【００４４】
そして、ストリーミングアプリが起動されると、スマホ２の制御部は、図６（ハ）に示すように、スマホ２で視聴可能な録画データのリスト１７３ｂを一覧表示する（ステップ１３Ｓ）。
なお、フローチャートには示していないが、本実施形態では、ストリーミングアプリを起動した直後にスマホ２がＴＶ装置１に視聴可能な録画データを要求し、ＴＶ装置１から送信される録画データを記憶部に保存した上で、図６（ハ）の一覧表示を行うようになっている。
但し、起動時において既に録画データが記憶部に保存されている場合には保存済みの録画データを表示し、保存されていない場合や最後の登録から所定時間Ｎ時間（例えばＮ＝２４時間）が経過している場合には、ストリーミングアプリが起動した後にＴＶ装置１に問い合わせるようにしてもよい。
また、ＴＶ装置１において、新規追加や削除により録画データの内容に変更があった場合に、ＴＶ装置１がＷｉ−Ｆｉ接続された際にスマホ２に送信するようにしてもよい。
【００４５】
次に、スマホ２の制御部は、図６（ハ）に示す録画一覧画面においてユーザの選択操作を監視する（ステップ１４Ｓ）。すなわちスマホ２の制御部は、画像表示部１６１の上部に表示されているテレビアイコン１７３ａ、又は、録画データのリスト１７３ｂの何れが選択されたかについて監視する。
【００４６】
ユーザにより何れかの録画データが選択された場合（ステップ１４；Ｎ）、スマホ２の制御部は、選択された録画データの再生処理を行う（ステップ１５Ｓ）。
すなわち、スマホ２の制御部は、選択された録画データを特定する特定情報をＴＶ装置１に送信することで、当該録画データの送信を要求する。これに対してＴＶ装置１では、要求された録画データの再生を行いながら再生データをスマホ２に送信する。この再生データの送信は、放送データ（ＣＨデータ）のストリーミング送信ではないので、ＴＶ装置１では、出力中（視聴中）のＣＨデータの出力（視聴）が継続される。
【００４７】
一方、ユーザによりテレビアイコン１７３ａが選択されると（ステップ１４Ｓ；Ｙ）、スマホ２の制御部は、出力対象切り替え要求を行う（ステップＳ１６Ｓ）。すなわち、スマホ２の制御部は、ＴＶ装置１に対して切り替え要求と選択されたＣＨ情報（ＣＨを特定する情報）を送信する。なお、ＣＨ情報は送信せず、切り替え要求だけを送信するようにしてもよい。この場合、ＴＶ装置１で出力されているＣＨまたは、現在設定されているＣＨのＣＨデータが送信される。
その後、スマホ２の制御部は、切り替え要求に応じてＴＶ装置１からＣＨデータが送信されるまでのあいだ、図６（ニ）に示すように、切り替え待ち画面を表示し（ステップ１７Ｓ）、ＣＨデータの受信を監視する（ステップ１８Ｓ）。
【００４８】
ＴＶ装置１の制御部１０では、テレビ視聴中かスライドショーの出力中かにかかわらず、スマホ２から切り替え要求が送信されたか否かを常時監視している（ステップ１２Ｔ）。
切り替え要求を受信すると（ステップ１２Ｔ；Ｙ）、制御部１０は、切り替え予告表示を行う（ステップ１３Ｔ）。
すなわち、図５（ａ）に示すように、ＴＶ装置１でテレビ視聴中である場合において、ＣＨデータをストリーミング表示（出力）できるのは１画面だけであるため、スマホ２からの要求により、視聴対象（出力対象）の切り替えを行う必要がある。そこで、ＴＶ装置１の制御部１０は、切り替える前に、ＬＣＤ６１の表示画面上に、例えば図５（ｂ）に示すように「専用アプリ側が視聴を開始したため、テレビ視聴を終了します。スライドショーに切り替えます。」と表示することで、テレビ視聴の終了を告知する（ステップ１３Ｔ）。
なお、本実施形態のＴＶ装置１では、テレビ視聴中において切り替え要求を受信した場合のデフォルト処理としてスライドショーへの切り替えが規定されているため、上記告知内容が表示されるが、切り替えにより画面の消灯をデフォルトの設定としてもよい。また、スライドショーと画面消灯の何れかをデフォルト処理とし、ユーザが他方に設定を切り替えられるようにしてもよい。
【００４９】
次に、ＴＶ装置１の制御部１０は、ＣＨデータの出力対象をＬＣＤ６１からスマホ２（通信制御部５０を介しての送信）に切り替える（ステップ１４Ｔ）。これにより、チューナ部４０で受信したＣＨデータは、通信制御部５０、Ｗｉ−Ｆｉアンテナ５２を介してスマホ２に送信（転送）される。
なお、切り替え要求にＣＨ（ＣＨ）の指定がある場合、ＴＶ装置１の制御部１０は、チューナ部４０で受信するＣＨを指定されたＣＨに変更した後にＣＨデータをスマホ２に送信する。ＣＨの指定が無い場合には、現在受信中のＣＨデータをスマホ２に送信する。
【００５０】
ＴＶ装置１の制御部１０は、出力対象を切り替えた後、図５（ｃ）に示すように、注意画面をＬＣＤ６１に表示する（ステップ１５Ｔ：図４）。
そして、制御部１０は、注意画面に表示したＯＫボタンがユーザによって選択（画面タッチ）されたか否かを監視する（ステップ１６Ｔ）。
ＯＫボタンが選択されると（ステップ１６Ｔ；Ｙ）、制御部１０は、デフォルトの設定に従い、図５（ｄ）に示すように、静止画を順次表示するスライドショーをＬＣＤ６１に表示する。
【００５１】
一方、スマホ２では、ＴＶ装置１から送信されるＣＨデータを受信すると（ステップ１８Ｓ；Ｙ）、制御部は、図６（ホ）に示すように、受信したＣＨデータを画像表示部１６１に表示する。
図６（ホ）に示した例では、ＴＶ装置１でサッカー中継を視聴中であったのに対し、ステップ１６Ｓで他ＣＨ（△ＴＶのＣＨ）を指定したことにより、当該ＣＨで現在放送中の数学の学習が表示されている。
なお、ＴＶ装置１からはＣＨデータと共に電子番組表がスマホ２に送信され、スマホ２の制御部は、図６（ホ）に示すように、ＣＨデータ（放送データ）１６１ａを画面表示するほか、受信する電子番組表に従い、現在視聴中のＣＨ情報１６１ｂと、ＣＨ情報１７３ｃを表示する。
【００５２】
図３、４のフローチャートには表示していないが、スマホ２に表示されているＣＨ情報１７３cで、現在視聴中のＣＨ以外のＣＨがユーザにより選択されると、スマホ２の制御部は、選択されたＣＨへの変更要求をＴＶ装置１に送信し、ＴＶ装置１では要求されたＣＨに変更したＣＨデータをスマホ２に送信する。
これによりスマホ２では、例えば、図６（ホ）の数学の学習から、図６（ヘ）の野球中継に変更される。
【００５３】
このようにＴＶ装置１からＣＨデータを送信することでスマホ２でテレビ視聴をしている状態において、ＴＶ装置１では入力部７０による操作がされたか否かを監視している（ステップ１７Ｔ）。
操作が選択され、その操作がテレビ視聴の選択でない場合（ステップ１７Ｔ；Ｎ）、制御部１０は、操作内容に対応した表示を行う（ステップ１８Ｔ）。例えば、制御部１０は、選択操作に応じて画面を消灯したり、図５（ｄ）に示すようにスライドショーを表示したり、録画データを再生表示したりする。
【００５４】
一方、ユーザによる選択操作がテレビ視聴の選択である場合（ステップ１７Ｔ；Ｙ）、ＴＶ装置１の制御部１０は、チューナ部４０で受信中のＣＨデータの出力対象を、スマホ２側からＴＶ装置１側に切り替える（ステップ１９Ｔ〜２１Ｔ）。
すなわち、ＴＶ装置１の制御部１０は、最初にスマホ２に対して切り替え通知（ステップ１９Ｔ）をした後、所定時間ｔの経過後にＣＨデータの出力対象をスマホ２からＬＣＤ６１に切り替える（ステップ２０Ｔ）。本実施形態の場合、所定時間ｔとして１０秒が設定されているが、ユーザ変更可能なｎ秒としてもよい。
この出力対象の切り替えにより、ＴＶ装置１の通信制御部５０からスマホ２に送信されていたＣＨデータの送信が終了する。
そして、ＬＣＤ６１には、図５（ｅ）に示されるように、切り替え直前にスマホ２に送信していたＣＨデータ、即ち野球中継のＣＨデータが表示される。
なお、ステップ１４Ｔ（図３）において出力対象をＬＣＤ６１からスマホ２に切り替える際に、それまでＴＶ装置１で視聴していたＣＨをＲＡＭに記憶しておき、ステップ２０Ｔ（図４）で出力対象をＬＣＤ６１に戻す際には、ＲＡＭに記憶しておいたＣＨに戻したうえでＬＣＤ６１に出力するようにしてもよい。この場合、ＬＣＤ６１に表示されるのは、野球中継ではなく、図５（ａ）に示すサッカー中継が出力される。
【００５５】
一方、スマホ２の制御部では、ＴＶ装置１から送信されるＣＨデータを視聴しているあいだ、ＴＶ装置１からの切り替え通知を受信したか否かを監視しており（ステップ２０Ｓ）、切り替え通知がなければ（ステップ２０Ｓ；Ｎ）、ＴＶ装置１から送信されるＣＨデータの表示を継続する（ステップ１９Ｓ）。
そして、ＴＶ装置１からの切り替え通知を受信すると（ステップ２０Ｓ；Ｙ）、スマホ２の制御部は、ＴＶ装置１からのＣＨデータ送信が終了するまでの間、画像表示部１６１に切り替え通知を表示する（ステップ２１Ｓ）。切り替え通知の表示としては、例えば、図６（ト）に示すように、「ＴＶ装置がテレビ視聴を開始しました。視聴を中止します。」等の表示を行う。
【００５６】
そして切り替え通知の後にＴＶ装置１からのＣＨデータ送信が終了するので、スマホ２の制御部は、ＣＨデータを受信できなくなった時点で、録画一覧表示を行う（ステップ２２Ｓ）。この録画一覧画面は、ステップ１３Ｓ（図３）で表示した録画一覧と同様であるが、この間に録画情報が更新されていれば最新の録画一覧が表示される。
以後、ステップ１３Ｓ以降の動作と同様である。
なお、ＴＶ装置１装置からの切り替え通知を受信した場合、切り替え通知を表示した後に、ストリーミングアプリを終了するようにしてもよい。
【００５７】
以上説明したように、チューナ部４０で受信したＣＨデータのリアルタイムでの表示については、ＴＶ装置１のＬＣＤ６１と、スマホ２の画像表示部１６１の何れか一方に出力対象を切り替えて表示される。そして、ＣＨデータの表示対象（切り替え先）は、ＴＶ装置１とスマホ２のうち、ＣＨデータの視聴の操作を最後にした側に切り替えられる。
【００５８】
次に、ＴＶ装置１における視聴予約及び録画予約を行う場合の予約処理について説明する。この予約処理は、記憶部３０の予約プログラムに従って行われる。
図７は、予約操作における各種操作に応じた画面遷移を表したものである。
予約操作は、例えば図７（ａ）に示すように番組を視聴している状態や、スライドショーの表示状態などの各種状態において、ユーザが予約番組の指定を行う。
すなわち、ユーザが本体キー７１（図１参照）のメニューボタンを選択すると、制御部１０は、ＬＣＤ６１に「番組表ボタン」を含む操作メニューを一覧表示する。このメニュー一覧で、ユーザにより番組表ボタンが選択されると、制御部１０は、図７（ｂ）の番組表を表示する。
図７（ｂ）に示すように番組表には、予約番組の放送日欄６１ａ、ＣＨ表示欄６１ｂ、番組欄６１ｃが表示される。
ＣＨ表示欄の左右に表示されているＣＨ変更ボタン「＜」「＞」を選択（タッチ）することで、又は、本体キー７１の左右ボタン「←」「→」を選択（押下）することで、他のＣＨに変更することができる。制御部１０は、変更されたＣＨで放送される各番組を番組欄６１ｃに放送時間順にリスト表示する。
ＣＨに対して表示されている番組の変更や選択（決定）については、本体キー７１の操作による。すなわち、図７（ｂ）の例では、他の番組と背景色により区別されている「探偵△△△」が仮選択されているが、「○○ニュース」などの他番組を選択する場合には本体キー７１の上下ボタン「↑」「↓」を選択する。
予約したい番組を仮選択した状態で本体キー７１の「ＯＫ」ボタンを選択することで予約番組が決定される。
【００５９】
ＯＫボタンが選択されると、制御部１０は、選択された番組の番組情報をＲＡＭに一時記憶する。そして、制御部１０は、図７（ｃ）に示されるように、番組情報を詳細に示す番組詳細画面６１ｄを表示すると共に、タッチパネル入力用のソフトボタンである「録画予約」ボタン６１ｄ１と「視聴予約」６１ｄ２ボタンを画面の下方に表示する。
この番組詳細画面６１ｄにおいて、ユーザが「視聴予約」ボタン６１ｄ２を選択すると、制御部１０は、図７（ｅ）に示すように、視聴予約者表示画面６１ｆを表示する。
【００６０】
図７（ｅ）に示した視聴予約者表示画面６１ｆでは、デフォルトで登録されているＴＶ装置１（０番）と、既に登録されている４台の視聴装置（１番〜４番）に対応するスマホ２の端末名称ボタンが表示されている。
ユーザにより何れかのボタンが選択されると、ＴＶ装置１の制御部１０は、選択された端末名称ボタンに対応する識別番号を、ＲＡＭに一時記憶しておいた番組情報、視聴予約フラグと共に予約情報として予約リスト３２に保存する。
【００６１】
なお、視聴装置の登録は次のようにして行われる。
スマホ２を視聴装置として登録する場合には、前提として登録するスマホ２とＴＶ装置１とをＷｉ−Ｆｉ接続させておく。
視聴装置が未登録の場合、視聴予約者表示画面６１ｆには、ＴＶ装置ボタンと新規追加ボタンだけが表示されている。
視聴予約者表示画面６１ｆにおいて、ユーザによって新規追加ボタンが選択されると、ＴＶ装置１の制御部１０は、視聴端末登録画面（図示しない）を表示する。この視聴端末登録画面には、ボタン番号欄、端末名称入力欄、及び、文字と数字の入力キーが表示される。
この状態で入力キーからボタン番号と、端末名称が入力され、ＯＫボタンが選択されると、ＴＶ装置１の制御部１０は、現在Ｗｉ−Ｆｉ接続されている端末装置２を調べ、各端末装置２の識別番号を表示する。
そして、ＴＶ装置１の制御部１０は、ユーザにより選択された識別番号を、入力されたボタン番号、端末名称と共に、記憶部３０の登録視聴端末情報３４に保存する。
【００６２】
上述の通り、図７（ｅ）の視聴予約者表示画面６１ｆにおいて、何れか１の端末名称ボタンが選択され、予約情報を予約リスト３２に保存した後、ＴＶ装置１の制御部１０は、図７（ｆ）に示すように、視聴予約完了画面６１ｇに「視聴予約しました」と所定時間ｔ２だけ表示した後、予約処理を終了する。
【００６３】
一方、図７（ｃ）の番組詳細画面６１ｄにおいて、ユーザが「録画予約」ボタン６１ｄ１を選択すると、制御部１０は、図７（ｄ）の録画予約設定画面６１ｅを表示し、繰り返し予約に関する設定、画質に関する設定、「ＯＫ」「キャンセル」の選択を求める。繰り返し予約「１回」と画質「フルセグ（低）」がデフォルトとして設定されており、変更する場合にユーザは、該当する設定箇所をタッチする。
この録画予約設定画面６１ｅで「ＯＫ」ボタン６１ｅ１が選択されると、制御部１０は、ＲＡＭに一時記憶しておいた番組情報と録画予約フラグとを予約情報として予約リスト３２に保存し、予約処理を終了する。
なお、図７（ｅ）の視聴予約完了画面６１ｆと同様に、「録画予約しました」と録画予約完了画面を所定時間ｔ３だけ表示した後に終了するようにしてもよい。
【００６４】
図７（ｄ）の録画予約設定画面６１ｅにおいて、「キャンセル」ボタン６１ｅ２が選択された場合、制御部１０は、ＲＡＭに一時記憶した番組情報を削除し、予約操作を終了する。
【００６５】
次に、スマホ２でＣＨデータを視聴中に視聴予約時間になった場合の視聴予約出力処理について説明する。
図８、図１０は、ＴＶ装置１とスマホ２のストリーミングプログラム／アプリによる視聴予約出力処理について表したフローチャートである。
図９は、視聴予約出力処理におけるＬＣＤ６１とスマホ２の表示画面を表した説明図である。
前提として、ＴＶ装置１は何れか１のスマホ２にＣＨデータ（ＣＨ：０１のサッカー中継）を送信中であり、当該スマホ２の画像表示部１６１には、図９（イ）に示すように、サッカー中継が表示されているものとする。また、ＴＶ装置１は、他のスマホ２に録画データを送信中であり、当該他のスマホ２には送信される録画データが表示（図示しない）されているものとする。さらに、ＣＨ：０２の数学の学習（△ＴＶの△×□）が視聴予約され、予約リスト３２に保存されているものとする。
この状態において、ＴＶ装置１のＬＣＤ６１では、図９（ａ）に示すように、画面消灯もしくはスライドショーが表示されているものとする。
【００６６】
ＴＶ装置１の制御部１０は、ストリーミングプログラムに従い、時計２０から取得した時間が、視聴予約確認時間に到達したか否かを監視している（図８、ステップ３１）。この視聴予約確認時間は、予約リスト３２に保存されている視聴予約番組の視聴予約時間から所定時間ｍだけ前の時間であり、本実施形態では所定時間ｍとして１分が規定されている。
従って、ＴＶ装置１の制御部１０は、予約リスト３２の視聴予約時間を予め読み込んでＲＡＭに保存しておき、視聴予約時間から所定時間ｍ前に到達したか否かを監視する。
なお、所定時間ｍについては、デフォルト値をｍ＝１分とし、視聴予約の設定操作においてユーザ操作により所定時間ｍを変更できるようにしてもよい。これにより、ユーザは自分の仕事や生活のペース、時間帯等に合わせて自由に視聴予約の確認をすることができる。
【００６７】
視聴予約確認時間に到達した場合（ステップ３１；Ｙ）、制御部１０は、ＴＶ装置１以外の何れかの他端末装置２でＣＨデータ等（ＣＨデータ、録画データ、以下同じ）を視聴中であったか否かを確認する（ステップ３２）。すなわち、制御部１０は、現在何れかのスマホ２にＣＨデータを送信していれば視聴中である（；Ｙ）と判断し、送信していなければ視聴中でない（；Ｎ）と判断する。
何れの他端末装置２（スマホ２）でも視聴中でない場合（但し、この場合は上記前提以外の場合である。ステップ３２；Ｎ）、制御部１０は、視聴予約時間に視聴予約番組（ＣＨ：０２の数学の学習）にＣＨを変更し、ＬＣＤ６１に出力する（ステップ３３）。
これにより、画面消灯もしくはスライドショーを表示していたＬＣＤ６１は、図９（ｂ）に示すように、視聴予約していた番組のＣＨ：０２の数学の学習が表示される。
【００６８】
なお、視聴予約したＣＨデータの出力対象としてスマホ２が選択されている（予約情報としてスマホ２の識別番号が保存されている）が、視聴予約確認時間よりも更に所定時間前において、視聴装置であるスマホ２に対してストリーミングアプリの起動を要求するようにしてもよい。
この要求に基づいて、当該スマホ２のストリーミングアプリの起動が視聴予約確認時間までに完了すれば、ＴＶ装置１はステップ３４に移行し、起動しなければステップ３３に移行するようにする。
【００６９】
一方、他端末装置２（スマホ２）で視聴中である場合（ステップ３２；Ｙ）、ＴＶ装置１の制御部１０は、視聴装置（スマホ２＝Ｒとする）と、現在ＣＨ：０１のサッカー中継を視聴中である端末装置２（＝Ｖとする）を確認する（ステップ３４）。ここで、録画データを視聴しているスマホ２が確認対象となるのは、視聴装置（＝Ｒ）である場合だけである。
次に、ＴＶ装置１の制御部１０は、確認した視聴装置（＝Ｒ）と、視聴中の端末装置２に対して、視聴予約通知を行う（ステップ３５）。この視聴予約通知では、各スマホ（Ｒ、Ｖ）に対して、視聴予約された番組情報（ＣＨ：０２）と、視聴装置の識別番号が送信される。
そして、視聴予約通知（Ｒ、Ｖ）をした後に、ＴＶ装置１の制御部１０は、視聴予約時間になったか否かを監視する（ステップ３６）。
【００７０】
一方、図１０に示すように、ＴＶ装置１から送信されるＣＨデータ（ＣＨ：０１のサッカー中継）を視聴中であるスマホ２、又は／及び、画像データを視聴中であるスマホ２の制御部は、ＴＶ装置１から視聴予約通知がされたか否かを監視している（ステップ４１）。
視聴予約通知を受信すると（ステップ４１；Ｙ）、視聴予約通知を受信したスマホ２の制御部は、当該通知に含まれる識別番号から、自装置が視聴装置（Ｒ）に該当するか否かを判断する（ステップ４２）。
【００７１】
自装置が視聴装置でない場合（≠Ｒ、ステップ４２；Ｎ）、当該スマホ２の制御部は、ＴＶ装置１から受信中であるＣＨ：０１のサッカー中継の画面上に視聴終了の予告をポップアップ表示する（ステップ４３）。
この視聴終了の予告は、視聴予約番組の視聴開始時間から所定時間前（例えば、１０秒前）になった時点で出力する。スマホ２の制御部は、例えば「他機で視聴予約を開始するため１０秒後に視聴を終了します。」等の表示を行う。
その後、当該スマホ２の制御部は、このポップアップ表示をした状態でＴＶ装置１からＣＨデータの送信が終了すると、視聴可能な録画データのリスト１７３ｂ（図６（ハ）参照）を一覧表示する（ステップ４４）。
【００７２】
一方、自装置が視聴装置である場合（＝Ｒ、ステップ４２；Ｙ）、当該スマホ２の制御部は、ＴＶ装置１から受信中であるＣＨ：０１のサッカー中継の画面上、又は、録画データの表示画面上に、視聴予約の予告をポップアップ表示する（ステップ４５）。
この視聴予約の予告は、視聴終了の予告と同様に、視聴予約番組の視聴開始時間から所定時間前（例えば、１０秒前）になった時点で出力する。スマホ２の制御部は、例えば「あと１０秒で予約番組を視聴開始します。」等の表示と、番組情報（番組名と放送時間等）の表示を行う。
その後、スマホ２の制御部は、ＴＶ装置１から送信される視聴予約されたＣＨデータ（ＣＨ：０２の数学の学習）を表示する。すなわち、スマホ２ではストリーミングアプリに従い、ＴＶ装置１から送信されるＣＨデータを表示するので、スマホ２の画像表示部１６１は、ＣＨ：０１のサッカー中継（図９（イ））又は録画データから、視聴予約していたＣＨ：０２の数学の学習（図９（ロ））に自動的に切り替わる。
【００７３】
図８に戻り、ＴＶ装置１の制御部１０は、監視中の視聴予約時間になると（ステップ３６；Ｙ）、チューナ部４０の受信ＣＨを視聴予約のＣＨに変更する（ステップ３７）。すなわち、ＴＶ装置１の制御部１０は、それ以前に受信していたサッカー中継のＣＨ：０１から、視聴予約された数学の学習のＣＨ：０２に変更する。
さらにＴＶ装置１の制御部１０は、視聴装置（＝Ｒ）が視聴中の端末装置２（＝Ｖ）と一致するか否かを判断し（ステップ３８）、一致する場合（Ｒ＝Ｖ、ステップ３８；Ｙ）には出力対象をそのままにする。
そして一致しない場合（Ｒ≠Ｖ）、制御部１０は、出力対象の切り替えを行う（ステップ３９）。すなわち、制御部１０は、ＣＨデータの出力対象を、ＲＡＭに保存した予約情報の識別番号に対応するスマホ２に切り替える（ステップ３９）。
これにより、ＴＶ装置１からは、視聴装置であるスマホ２（＝Ｒ）に対して視聴予約されたＣＨ：０２の数学の学習が送信され、それ以前にＣＨ：０１のサッカー中継を送信していたスマホ２（＝Ｖ≠Ｒ）への送信が終了する。
【００７４】
以上説明したように、本実施形態によれば、視聴予約時間以前からＣＨ：０１のサッカー中継や録画データを視聴していたスマホ２（視聴装置）では、視聴予約時間の到達によりＴＶ装置１からＣＨ変更して送信されるＣＨ：０２の数学の学習の視聴が可能になる。すなわち、視聴装置であるスマホ２で別ＣＨや録画データを見ていたとしても、予約時間に自動的に視聴予約番組に切り替わるため、ユーザは予約番組を見逃すことがない。
また、ＴＶ装置１の制御部１０は、視聴予約番組の開始がＴＶ装置１によるＣＨ変更の処理に基づくものであるが、スマホ２からの操作が無くても、ＣＨデータの出力対象をＴＶ装置１のＬＣＤ６１に切り替えず、視聴装置であるスマホ２にするので、視聴予約番組をスマホ２側に切り替えるといった操作が不要になる。
【００７５】
次に、スマホ２でＣＨデータを視聴中に視聴予約時間になった場合の視聴予約出力処理の第２実施形態について説明する。
図８、図１０で説明した視聴予約出力処理では、視聴予約通知をした後、視聴予約時間に到達したら直ちに視聴装置であるスマホ２に対して視聴予約番組のＣＨデータを送信する場合について説明した。
これに対して、第２実施形態では、視聴予約通知がされた視聴装置であるスマホ２のユーザに対して、ポップアップ表示等により、視聴予約番組の視聴を行うか否かを選択させるようにしたものである。
【００７６】
図１１、図１２は、第２実施形態における、ＴＶ装置１とスマホ２のストリーミングプログラム／アプリによる視聴予約出力処理について表したフローチャートである。
なお、第２実施形態における図１１、１２のフローチャートは、図８、図１０で説明した第１実施形態の処理と同一部分に同一のステップ番号を付すことでその説明を適宜省略し、第２実施形態に固有な処理を中心に説明する。
また第２実施形態においても、第１実施形態と同様の前提条件で説明する。
【００７７】
図１１に示すように、ＴＶ装置１の制御部１０は、視聴予約通知をスマホ２（ＲとＶ）にした（ステップ３５）後、視聴装置であるスマホ２（Ｒ）から、視聴予約番組を視聴するか否かの選択結果が送信されるのを監視する（ステップ３５２）。
【００７８】
一方、図１２に示すように、視聴予約通知を受信した視聴装置であるスマホ２（Ｒ）の制御部は、図９（ハ）に示すように、視聴予約開始確認画面を画像表示部１６１にポップアップ表示させる（ステップ４６）。
なお、この視聴予約開始確認画面において、視聴予約番組を視聴するかしないかをユーザが選択する必要があるため、視聴終了の予告（ステップ４３）が視聴予約時間の１０秒前に表示されるのと異なり、ステップ４１、４２の判断後直ちに表示する。すなわち、ほぼ、視聴予約時間から所定時間ｍだけ前の時刻に表示される。
従ってスマホ２の制御部は、視聴予約開始確認画面では、図９（ハ）に示されるように、その旨の報知「あと１分で予約番組を視聴開始します。」と、番組名やＣＨ、時間等の番組簡易情報を表示すると共に、この視聴予約番組を視聴するかしないかを確認するための選択キー、すなわち、「視聴しない」キーと「視聴する」キーを表示する。
【００７９】
スマホ２の制御部は、この視聴予約開始確認画面において、ユーザにより選択されたキーを監視する（ステップ４７）。
そしてスマホ２の制御部は、「視聴しない」キーが選択された場合（ステップ４７；Ｎ）には視聴しない旨の通知を、「視聴する」キーが選択された場合（ステップ４７；Ｙ）には視聴する旨の通知を、それぞれユーザによる選択結果としてＴＶ装置１に通知する（ステップ４８、４９）。
スマホ２の制御部は、「視聴しない」を選択結果として送信（ステップ４８）した場合、ＴＶ装置１から継続して送信されるＣＨ：０１のサッカー中継又は録画データを受信して表示等をする。
【００８０】
図１１に戻り、選択結果の送信を監視中のＴＶ装置１の制御部１０は、スマホ２から送信された選択結果が「視聴しない」旨の通知である場合（ステップ３５２；Ｎ）、ＴＶ装置１の制御部１０は、現在送信中であるＣＨデータ（ＣＨ：０１のサッカー中継）の送信を継続する。これにより当該視聴予約はキャンセルされることになる。
この場合、ＴＶ装置１では、継続してＣＨ：０１のサッカー中継を送信するので、ＴＶ装置１のＬＣＤ６１には、視聴予約番組であるＣＨ：０２の数学の学習を表示することはなく、図９（ａ）に示すように画面消灯もしくはスライドショーの表示が継続される。
なお、視聴しない旨の通知である場合、ＴＶ装置１は、記憶部３０の予約リスト３２から該当する視聴予約のデータを削除する。
【００８１】
一方、スマホ２から送信される選択結果が「視聴する」旨の通知である場合（ステップ３５２；Ｙ）、ＴＶ装置１の制御部１０は、ＲＡＭに格納した当該視聴予約番組の視聴予約時間に到達したか否かを監視する（ステップ３６）。
視聴予約時間に到達した場合（ステップ３６；Ｙ）、ＴＶ装置１の制御部１０は、チューナ部４０で受信しているＣＨを、視聴予約ＣＨに変更すると共に、現在状態をＲＡＭに記憶する（ステップ３７２）。この現在状態は、視聴予約番組が終了した際に、ＴＶ装置１の制御部１０が、視聴予約番組の開始前にスマホ２で動作していた状態（テレビ視聴や、録画データの再生）に自動的に戻すために記憶するものである。制御部１０は、現在状態として、視聴中のＣＨ又は録画データとその再生箇所を記憶する。
【００８２】
その後、ＴＶ装置１の制御部１０は、第１実施形態と同様に、Ｒ＝Ｖの判断（ステップ３８）と出力を切り替え（ステップ３９）ることで、視聴予約されたＣＨ：０２の数学の学習をスマホ２に送信する。
一方、スマホ２の画像表示部１６１には、ＴＶ装置１に「視聴する」を通知（ステップ４９）しているので、図９（ロ）に示されるように、ＴＶ装置１から送信されるＣＨ：０２の数学の学習が表示される（図１２）。
以上のＴＶ装置１の制御部１０による視聴予約番組の送信と、スマホ２の制御部による視聴予約番組の出力については、当該視聴予約番組が終了するまで継続される。
【００８３】
そして、ＴＶ装置１の制御部１０は、視聴予約番組が終了したか否かを監視する（ステップ３９２）。番組の終了については、その番組の番組情報から終了時間に到達したか否かにより判断する。
視聴予約番組が終了した場合（ステップ３９２；Ｙ）、ＴＶ装置１の制御部１０は、視聴予約を開始する前の状態に戻す（ステップ３９３）。すなわち、ＴＶ装置１の制御部１０は、ＲＡＭに記憶した現在状態（ＣＨ又は録画データとその再生箇所）を読み出し、現在状態としてＣＨが記憶されていれば、チューナ部４０を当該ＣＨの受信に戻す。また現在状態が、録画データとその再生箇所であれば、制御部１０は、当該録画データの再生箇所以降の録画データを送信する。但し、再生箇所から所定時間だけ前の箇所からの画像データを送信するようにしてもよい。
【００８４】
一方、視聴装置であるスマホ２では、ストリーミングアプリに従い、ＴＶ装置１から現在状態（元の状態）に戻って送信される、ＣＨデータ（ＣＨ：０１のサッカー中継（視聴予約番組中に終了していれば同ＣＨの放送データ））又は、画像データの続きを受信して画像表示部１６１に表示する。
【００８５】
次に、スマホ２でＣＨデータを視聴中に録画予約時間になった場合の録画予約出力処理について説明する。
この録画予約出力処理では、スマホ２へのＣＨデータの送信を終了し、録画予約された場合をＴＶ装置１の録画データ３３に録画するものである。
図１３は、録画予約出力処理について表したフローチャートである。
この録画予約出力処理についても、視聴予約出力処理の場合と同様に前提として、スマホ２側では、ＴＶ装置１から送信されるＣＨ：０１のサッカー中継（図９（イ））を視聴し、ＴＶ装置１側では画面消灯もしくはスライドショーを視聴（図９（ａ））しているものとする。そして、予約リスト３２には、ＣＨ：０２の数学の学習が録画予約されているものとする。
【００８６】
ＴＶ装置１の制御部１０は、ストリーミングプログラムに従い、時計２０から取得した時間が、録画予約確認時間に到達したか否かを監視している（ステップ５１Ｔ）。この録画予約確認時間は、予約リスト３２に保存されている録画予約の録画予約時間から所定時間ｍ２だけ前の時間であり、本実施形態では所定時間ｍ２として、視聴予約出力処理の場合の所定時間ｍ１と同様に１分が規定されている。但し、視聴予約出力処理と異なりスマホ２側での選択はないので、録画予約の場合の所定時間ｍ２は、所定時間ｍ１より短い時間、例えば、ｍ２＝３０秒を規定するようにしてもよい。この所定時間ｍ２についても、所定時間ｍ１と同様に、ユーザが変更できるようしてもよい。
【００８７】
録画予約確認時間に到達した場合（ステップ５１Ｔ；Ｙ）、ＴＶ装置１の制御部１０は、スマホ２に対して録画予約通知を行うと共に、自装置のＬＣＤ６１に録画予約表示（図９（ｃ）参照）をポップアップ表示する（ステップ５２Ｔ）。スマホ２に対する録画予約通知については、視聴予約通知の場合と異なり、録画予約された番組情報は送信しない。
なお、録画予約確認時間になった場合に、第２実施形態（図１０：ステップ４２Ｔ）と同様に、他ＣＨで視聴中か否かを判断し、視聴中であればスマホ２への録画予約通知と録画予約表示を行い（ステップ５２Ｔ）、視聴中でなければスマホ２への録画予約通知をせずに録画予約表示（図９（ｃ））だけをするようにしてもよい。
【００８８】
一方、ＴＶ装置１から送信されるＣＨデータ（ＣＨ：０１のサッカー中継）を視聴中であるスマホ２では、ＴＶ装置１から録画予約通知がされたか否かを監視している（ステップ５１Ｓ）。
録画予約通知を受信すると（ステップ５１Ｓ；Ｙ）、スマホ２の制御部は、図９（ニ）に示すように、現在視聴中の画面（ＣＨ：０１のサッカー中継）に、視聴停止予告画面をポップアップ表示する（ステップ５２Ｓ）。
この視聴停止予告画面では、図９（ニ）に示されるように、その旨の表示「録画予約時間になりました。ＴＶ装置がテレビ録画を開始するため、視聴を終了します。」を行う。
そしてスマホ２の制御部では、ＴＶ装置１からのＣＨデータの送信が終了したか否かを監視する（ステップ５３Ｓ）。
【００８９】
ＴＶ装置１の制御部１０は、ステップ５２Ｔの後、録画予約時間に到達したか否かを監視し、録画予約時間に到達した場合（ステップ５３Ｔ；Ｙ）、ＣＨデータの出力対象をスマホ２から自装置のＬＣＤ６１に切り替えると共に、チューナ部４０の受信ＣＨを録画予約ＣＨに変更する（ステップ５４Ｔ）。
この出力対象の切り替えにより、ＴＶ装置１からスマホ２に送信されていたＣＨデータの送信が終了する。
そして、ＣＨデータの出力対象の切り替えにより、ＴＶ装置１の制御部１０は、録画予約ＣＨのＣＨデータをＬＣＤ６１に出力すると共に、録画データ３３に保存する。
なお、録画中のＣＨデータについては、ＴＶ装置１のＬＣＤ６１に出力しないようにしてもよく、録画しながらＴＶ装置１のＬＣＤ６１で視聴をするか否かを録画予約の際にユーザが選択するようにしてもよい。
【００９０】
視聴予約出力処理の第３実施形態と同様に、録画終了後に、ＴＶ装置１の制御部１０は、出力対象を再度ＬＣＤ６１からスマホ２に切り替えて、スマホ２へのＣＨデータの送信を再開するようにしてもよい。
この場合も、第３実施形態と同様に、ＴＶ装置１の制御部１０部は、元のＣＨ、すなわち、録画を開始するために出力対象を切り替える（ステップ５４Ｔ）前にスマホ２に送信していたＣＨを録画予約開始前情報としてＲＡＭに一時記憶しておく。
そしてＴＶ装置１の制御部１０は、録画終了後にチューナ部４０による受信ＣＨを元のＣＨに戻すと共に、出力対象をスマホ２に切り替える（戻す）。
【００９１】
一方、スマホ２の制御部では、ＣＨデータの送信終了によりＣＨデータを受信しなくなった場合（ステップ５３Ｓ；Ｙ）、図６（ハ）に示すように、スマホ２で視聴可能な録画データのリスト１７３ｂを一覧表示する（ステップ５４Ｓ）。
この録画一覧を表示した後の処理は、図３のステップ１３Ｓで録画一覧を表示した後と同じである。
【００９２】
以上説明したように本実施形態の放送受信装置によれば、端末装置で放送データを視聴中に視聴予約の時間になった場合であっても、視聴予約した番組を端末装置で見逃すことなく、また、面倒な操作をすることなく継続して予約番組を継続して視聴することができる。
すなわち本実施形態の放送受信装置によれば、原則としてＣＨデータの視聴は、最後に視聴の処理をした端末が視聴権を取得し、視聴権のある端末で視聴できるようにＣＨデータの出力対象を切り替えるのに対し、本実施形態では、端末装置でＣＨデータの視聴をしている際に視聴予約時間になった場合には、ＴＶ装置１は、視聴権を移動させずに、ＣＨデータを現在視聴中の端末装置に移譲する。
これにより、スマホ２等の端末装置で放送データを視聴中に視聴予約の時間になった場合であても、視聴予約した番組を端末装置で見逃すことなく、また、面倒な操作をすることなく継続して予約番組を継続して視聴することができる。
【００９３】
以上、本発明のＴＶ装置１における各実施形態について説明したが、本発明は説明した実施形態に限定されるものではなく、各請求項に記載した範囲において各種の変形を行うことが可能である。
例えば、説明した実施形態の視聴予約出力処理では、視聴装置であるスマホ２でＣＨデータ又は録画データを視聴中に視聴予約確認時間となった際に、視聴予約された番組を当該スマホ２に継続して送信する場合について説明した。
これに対して、視聴予約確認時間となった際に、既に視聴装置であるスマホ２でＣＨデータ又は録画データを視聴している場合だけでなく、ＴＶ装置１からはデータ受信をしていないがＷｉ−Ｆｉ接続はされている場合においても、実施形態の視聴予約出力処理を適用するようにしてもよい。
【００９４】
また、Ｗｉ−Ｆｉ接続はされているが、ストリーミングアプリが起動していない場合には、ＴＶ装置１の制御部１０は、視聴装置であるスマホ２の制御部に対してストリーミングアプリの起動を要求し、起動後に視聴予約番組のＣＨデータをスマホ２に送信するようにしてもよい。
この場合、スマホ２におけるストリーミングアプリの起動時間分だけ視聴予約番組が見られなくなる可能性があるので、ＴＶ装置１の制御部１０は、起動時間に要する時間よりも所定時間ｔ４（例えば、１０秒）前に、起動要求を送信する。
そして、ＴＶ装置１は視聴予約番組が終了した時点で、元の状態に戻すためにスマホ２に対してストリーミングアプリの終了を要求する。
但し、視聴予約したＣＨのＣＨデータを継続して視聴するか否かを、スマホ２の視聴者に問い合わせ、ＴＶ装置１の制御部１０は、「継続する」が選択されればそのままＣＨデータの送信を継続し、「終了する」が選択された場合にストリーミングアプリの終了をスマホ２に要求する。なお、この視聴者に対する問合せ等の処理については、全てスマホ２側のストリーミングアプリの処理として行うようにしてもよい。
【００９５】
また、説明した第２実施形態では、視聴予約番組が終了した場合に、視聴予約番組開始前の元の状態に戻す場合について説明したが、元の状態に戻さないようにしてもよい。
この場合、ＴＶ装置１の制御部１０は、図１１のステップ３７２におい現在状態として視聴中ＣＨ又は録画データとその再生箇所を記憶すること、及び、ステップ３９２、３９３の処理は不要である。
これにより、ＴＶ装置１の制御部１０は、視聴装置であるスマホ２に対して、視聴予約番組が終了した後も、視聴予約番組と同一ＣＨであるＣＨ：０２の放送データの送信を継続する。
一方、視聴装置であるスマホ２では、ＣＨ：０２の放送データを継続してＴＶ装置１から受信して出力することになる。
【００９６】
上述したように、放送データをリアルタイムで視聴できるのは、放送受信装置１及び、全端末装置２のうち１チューナ当たり１台であり、本実施形態では、１つのチューナ部４０を備える場合について説明したが、ｐ（ｐ＞２）のチューナ部を備えることも可能である。
この場合、リアルタイムでＣＨデータを出力することが可能な出力対象の数はｐであるが、その出力先は次の優先順位に従って決定する。最優先は、視聴予約番組に対して設定されたｑ（≦ｐ）台の視聴装置である。判断時点における視聴装置の数ｑがｐ以下である場合、放送受信装置１に対して放送データの受信を最後に要求した端末装置２から順番（放送データの受信要求が新しい順）に、ｐ−ｑ台の端末装置２を出力対象とする。
そして、新しい視聴予約番具が開始する際に通知する視聴予約通知は、上記優先順にｐ台の端末装置２以外であり現在放送データを視聴中である端末装置２と、現在放送データ又は録画データを視聴中である当該新視聴予約番組の視聴装置（＝Ｒ）が通知対象となる。
【符号の説明】
【００９７】
１  放送受信装置、ＴＶ装置
１０  制御部
２０  時計
３０  記憶部
３１  プログラム
３２  予約リスト
３３  録画データ
３４  登録視聴端末情報
４０  チューナ部
４１  テレビアンテナ
５０  通信制御部
５１  ３Ｇ／４Ｇアンテナ
５２  Ｗｉ−Ｆｉアンテナ
６０  出力部
６１  ＬＣＤ
６２  スピーカ
７０  入力部
７１  本体キー
７２  リモコン
７３  タッチパネル
２  端末装置、スマホ
【図１】
0006543142.tif 000002
【図２】
0006543142.tif 000003
【図３】
0006543142.tif 000004
【図４】
0006543142.tif 000005
【図５】
0006543142.tif 000006
【図６】
0006543142.tif 000007
【図７】
0006543142.tif 000008
【図８】
0006543142.tif 000009
【図９】
0006543142.tif 000010
【図１０】
0006543142.tif 000011
【図１１】
0006543142.tif 000012
【図１２】
0006543142.tif 000013
【図１３】
0006543142.tif 000014
【図１４】
0006543142.tif 000015